【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
少なくとも符号化画像を含む画像信号を受信するための受信機と、
ディスプレイからデータ信号を受信するための第２受信機であって、前記データ信号は、前記ディスプレイのディスプレイダイナミックレンジ指標を含むデータフィールドを含み、前記ディスプレイダイナミックレンジ指標は、少なくとも白色点輝度を含み、当該白色点輝度は１０００ニット以上の値を有し得ることにより、前記ディスプレイがハイダイナミックレンジディスプレイであるか否かを特徴付け得る、第２受信機と、
受信された前記ディスプレイダイナミックレンジ指標に応じて、前記符号化画像にダイナミックレンジ変換を適用することによって出力画像を生成するダイナミックレンジプロセッサであって、５００ニットより高い対象ディスプレイ絶対最大輝度に対応するハイダイナミックレンジ画像信号である前記画像信号に前記ダイナミックレンジ変換を適用し得る、ダイナミックレンジプロセッサと、
前記出力画像を含む出力画像信号を前記ディスプレイに出力するための出力部と
を含む、画像処理装置。
【請求項２】
前記ディスプレイダイナミックレンジ指標は、黒色点輝度をさらに含む、請求項１に記載の画像処理装置。
【請求項３】
前記ディスプレイダイナミックレンジ指標は、ディスプレイ入力値から前記ディスプレイの輝度ダイナミックレンジへの、前記ディスプレイのマッピングを表すマッピングデータを含む、請求項１又は２に記載の画像処理装置。
【請求項４】
前記ディスプレイダイナミックレンジ指標は、前記ディスプレイ用の電気光変換関数を含む、請求項１乃至３のいずれか一項に記載の画像処理装置。
【請求項５】
前記データ信号は、複数の輝度ダイナミックレンジを含み、前記ダイナミックレンジプロセッサは、前記複数の輝度ダイナミックレンジから輝度ダイナミックレンジを選択し、選択された前記輝度ダイナミックレンジに応じて前記ダイナミックレンジ変換を実行する、請求項１乃至４のいずれか一項に記載の画像処理装置。
【請求項６】
前記複数の輝度ダイナミックレンジは、異なる画像タイプに関連する、請求項５に記載の画像処理装置。
【請求項７】
前記ディスプレイに制御データ信号を出力するためのコントローラの出力部をさらに含み、前記制御データ信号は、前記ディスプレイによって使用される輝度ダイナミックレンジの指標を含む、請求項１乃至５のいずれか一項に記載の画像処理装置。
【請求項８】
前記制御データ信号は、前記ディスプレイのための画像処理指示を含む、請求項７に記載の画像処理装置。
【請求項９】
前記画像処理指示は、前記ディスプレイのためのトーンマッピング指標を含む、請求項８に記載の画像処理装置。
【請求項１０】
前記ディスプレイダイナミックレンジ指標は、周囲光指標を含み、前記ダイナミックレンジプロセッサは、前記周囲光指標に応じて前記ダイナミックレンジ変換を適合する、請求項１乃至５のいずれか一項に記載の画像処理装置。
【請求項１１】
前記ディスプレイダイナミックレンジ指標は、前記ディスプレイのユーザ選択可能設定に依存する、請求項１乃至５のいずれか一項に記載の画像処理装置。
【請求項１２】
前記ディスプレイダイナミックレンジ指標は、ダイナミックレンジ変換制御データを含み、前記ダイナミックレンジプロセッサは、前記ダイナミックレンジ変換制御データに応じて前記ダイナミックレンジ変換を実行する、請求項１乃至５のいずれか一項に記載の画像処理装置。
【請求項１３】
前記受信機は、対象ディスプレイリファレンスを受信し、前記対象ディスプレイリファレンスは、前記符号化画像が符号化において対象とした対象ディスプレイのダイナミックレンジを示し、
前記ダイナミックレンジプロセッサは、前記対象ディスプレイリファレンスに応じて前記符号化画像に前記ダイナミックレンジ変換を適用する、請求項１に記載の画像処理装置。
【請求項１４】
前記ダイナミックレンジプロセッサは、前記ディスプレイダイナミックレンジ指標に応じて、前記符号化画像を出力画像として生成するか、又は前記符号化画像の変換画像を出力画像として生成するかを選択する、請求項１乃至３のいずれか一項に記載の画像処理装置。
【請求項１５】
前記ダイナミックレンジ変換は、ガマット変換を含む、請求項１乃至３のいずれか一項に記載の画像処理装置。
【請求項１６】
前記画像信号の発信源にダイナミックレンジ制御データを送信するための制御データ送信機をさらに含む、請求項１乃至３のいずれか一項に記載の画像処理装置。
【請求項１７】
少なくとも１つの画像を表す画像信号を受信するための受信機と、
ディスプレイパネルと、
前記画像信号に基づいて前記ディスプレイパネルを駆動するためのディスプレイドライバと、
前記画像信号の発信源にデータ信号を送信するための送信機とを含む、ディスプレイであって、前記データ信号は、前記ディスプレイ用のディスプレイダイナミックレンジ指標を含むデータフィールドを含み、前記ディスプレイダイナミックレンジ指標は、少なくとも白色点輝度を含み、当該白色点輝度は前記ディスプレイがハイダイナミックレンジディスプレイであるか否かを特徴付けることができ、前記ディスプレイは少なくとも１０００ニットの白色点輝度を有する、ディスプレイ。
【請求項１８】
前記ディスプレイダイナミックレンジ指標は、黒色点輝度をさらに含む、請求項１７に記載のディスプレイ。
【請求項１９】
前記ディスプレイダイナミックレンジ指標は、前記ディスプレイの電気光変換関数を含む、請求項１７又は１８に記載のディスプレイ。
【請求項２０】
前記ディスプレイダイナミックレンジ指標は、周囲光指標を含む、請求項１７又は１８に記載のディスプレイ。
【請求項２１】
前記画像信号の発信源から制御データ信号を受信するための第２受信機をさらに含み、前記制御データ信号は、前記ディスプレイによって使用される輝度ダイナミックレンジの指標を含み、前記ドライバは、前記輝度ダイナミックレンジに応じて前記駆動を適合する、請求項１７乃至２０のいずれか一項に記載のディスプレイ。
【請求項２２】
少なくとも符号化画像を含む画像信号を受信するステップと、
ディスプレイからデータ信号を受信するステップであって、前記データ信号は、前記ディスプレイのディスプレイダイナミックレンジ指標を含むデータフィールドを含み、前記ディスプレイダイナミックレンジ指標は、少なくとも白色点輝度を含み、当該白色点輝度は、前記ディスプレイがハイダイナミックレンジディスプレイであるか否かを特徴付けることができ、また、１０００ニット以上の値を有することができ、当該受信するステップはかかる値を取り扱うことができる、受信するステップと、
前記ディスプレイダイナミックレンジ指標に応じて、５００ニットより高い対象ディスプレイ絶対最大輝度に対応するハイダイナミックレンジ画像信号である前記符号化画像にダイナミックレンジ変換を適用することによって出力画像を生成するステップと、
前記出力画像を含む出力画像信号を前記ディスプレイに出力するステップと
を含む、画像処理方法。
【請求項２３】
ディスプレイ用のディスプレイダイナミックレンジ指標を含むデータフィールドを含むディスプレイデータ信号であって、前記ディスプレイダイナミックレンジ指標は、少なくとも白色点輝度を含み、当該白色点輝度は前記ディスプレイがハイダイナミックレンジディスプレイであるか否かを特徴付けることができ、少なくとも１０００ニットの値である、ディスプレイデータ信号。